(57)【要約】【課題】熱線センサによる検知の有無に関わらず、負荷のオンオフを切り替え、切り替えた状態を長時間継続させることを、操作ハンドルへの押操作によって容易かつ誤動作を低減して切り替える。【解決手段】熱線センサ付自動スイッチ１は、人体からの熱線を検知する熱線センサ５と、造営面に配設される器体２の前面２３０に回動自在に軸部２３１によって枢支される操作ハンドル３と、器体２の前面２３０に露出し操作ハンドル３で押駆動される操作子６１０を有して器体２に収納される操作スイッチ６１とを備える。さらに、操作子６１０が操作ハンドル３で一定時間以上押されると、熱線センサ５が熱線を検知したときに照明負荷を点灯させる第１の制御モードを、照明負荷の点灯と消灯を切り替え、熱線センサ５による熱線の検知の有無に関わらず、切り替えられた状態を照明負荷が継続するように制御する第２の制御モードに切り替える回路部６の制御部を備える。【選択図】図１
2008109511.tif 000002
【特許請求の範囲】
【請求項１】
負荷のオンオフを制御する熱線センサ付自動スイッチであって、
造営面に配設される器体と、
人体からの熱線を検知する熱線センサと、
前記器体の前面に回動自在に枢支される操作ハンドルと、
前記器体の前記前面に露出し前記操作ハンドルで押駆動される操作子を有して当該器体に収納される操作スイッチと
を備えるとともに、
前記操作子が前記操作ハンドルで予め設定された第１の時間以上押されると、前記熱線センサが前記熱線を検知したときに前記負荷をオンに制御する第１の制御モードを、前記負荷のオンオフを切り替え、前記熱線センサによる前記熱線の検知の有無に関わらず、切り替えられた状態を当該負荷が継続するように制御する第２の制御モードに切り替える制御手段を備える
ことを特徴とする熱線センサ付自動スイッチ。
【請求項２】
前記制御手段が、前記第１の制御モード又は前記第２の制御モードである場合に、前記操作子が前記操作ハンドルで前記第１の時間未満押されると、当該第１の制御モード又は当該第２の制御モードを、前記負荷がオフであるとき当該負荷を予め決められた第２の時間が経過するまでオンにし、当該負荷がオンであるとき当該負荷を前記第２の時間が経過するまでオフに制御する第３の制御モードに切り替え、前記第２の時間が経過すると前記第１の制御モードに切り替えることを特徴とする請求項１記載の熱線センサ付自動スイッチ。
【発明の詳細な説明】
【技術分野】
【０００１】
本発明は、負荷のオンオフを制御する熱線センサ付自動スイッチに関するものである。
【背景技術】
【０００２】
負荷のオンオフを制御する従来の熱線センサ付自動スイッチとして、特許文献１には、手動スイッチの切り替え操作ごとに照明負荷の強制点灯、赤外線センサによる自動点灯、消灯と状態を遷移、又は照明負荷が点灯していれば消灯、消灯していれば点灯へ遷移させる人体検出機能付配線器具（熱線センサ付自動スイッチ）が開示されている。
【特許文献１】特開２００１−２３７０８５号公報（段落００４０，００４１及び第１図）
【発明の開示】
【発明が解決しようとする課題】
【０００３】
しかしながら、上記従来の熱線センサ付自動スイッチには、負荷（照明負荷）をオフ（消灯）させたとしても所定時間経過後、再び人体検出待機状態へ自動復帰することから、熱線センサによる検知の有無に関わらず、負荷を長時間、オフにさせることができないという問題があった。
【０００４】
本発明は上記の点に鑑みて為されたものであり、その目的とするところは、熱線センサによる検知の有無に関わらず、負荷のオンオフを切り替え、切り替えた状態を長時間継続させることを、操作ハンドルへの押操作によって容易かつ誤動作を低減して切り替えることができる熱線センサ付自動スイッチを提供することにある。
【課題を解決するための手段】
【０００５】
請求項１の発明は、負荷のオンオフを制御する熱線センサ付自動スイッチであって、造営面に配設される器体と、人体からの熱線を検知する熱線センサと、前記器体の前面に回動自在に枢支される操作ハンドルと、前記器体の前記前面に露出し前記操作ハンドルで押駆動される操作子を有して当該器体に収納される操作スイッチとを備えるとともに、前記操作子が前記操作ハンドルで予め設定された第１の時間以上押されると、前記熱線センサが前記熱線を検知したときに前記負荷をオンに制御する第１の制御モードを、前記負荷のオンオフを切り替え、前記熱線センサによる前記熱線の検知の有無に関わらず、切り替えられた状態を当該負荷が継続するように制御する第２の制御モードに切り替える制御手段を備えることを特徴とする。
【０００６】
請求項２の発明は、請求項１の発明において、前記制御手段が、前記第１の制御モード又は前記第２の制御モードである場合に、前記操作子が前記操作ハンドルで前記第１の時間未満押されると、当該第１の制御モード又は当該第２の制御モードを、前記負荷がオフであるとき当該負荷を予め決められた第２の時間が経過するまでオンにし、当該負荷がオンであるとき当該負荷を前記第２の時間が経過するまでオフに制御する第３の制御モードに切り替え、前記第２の時間が経過すると前記第１の制御モードに切り替えることを特徴とする。
【発明の効果】
【０００７】
請求項１の発明によれば、熱線センサによる検知の有無に関わらず、負荷のオンオフを切り替え、切り替えた状態を長時間継続させることを、操作ハンドルへの押操作によって容易かつ誤動作を低減して切り替えることができる。
【０００８】
請求項２の発明によれば、熱線センサが有効時間中であっても、操作ハンドルへの短時間の押操作によって、負荷がオフであるときにオンに一時的に行うことができるとともに、負荷がオンであるにオフにすることができることによって、負荷への無駄な電力供給を低減することができる。
【発明を実施するための最良の形態】
【０００９】
（実施形態１）
まず、本発明の実施形態１に係る熱線センサ付自動スイッチの構成について図１〜４を用いて説明する。
【００１０】
熱線センサ付自動スイッチ１は、図１に示すように、造営面（図示せず）に配設される器体２と、器体２の前面２３０に回動自在に枢支される操作ハンドル３と、操作ハンドル３の前面側に回動自在に枢着されるハンドルカバー４と、人体からの熱線を検知する熱線センサ５と、照明負荷Ｌの点灯と消灯を制御する回路部６とを備え、商用電源ＡＣ（図４参照）及び照明負荷Ｌの直列回路に接続されている。実施形態１では、負荷として照明負荷Ｌを用いているが、照明負荷Ｌ以外の負荷であってもよい。この熱線センサ付自動スイッチ１の外観斜視図を図２に示している。
【００１１】
器体２は、図１に示すように直方体状であって、前面開口した合成樹脂製のボディ２０と、後面開口した合成樹脂製のカバー２１とから構成される。この器体２は、規格化された単位モジュール寸法（１個モジュール寸法）の埋込型配線器具３個分に相当する寸法に形成された１連用モジュールである。また、器体２の左右方向（図１のＹ軸方向）の寸法は、後述の既存の埋込配線器具用の取付枠７の窓孔７０の左右方向（短手方向）とほぼ等しい。
【００１２】
ボディ２０は、上面２００及び下面のそれぞれに一体に設けられた組立突起２０１，２０１を１対ずつ備えている。このボディ２０には、後述の電源端子６５２，６５３や負荷端子６５４，６５５となる端子群２０２が収納される。
【００１３】
一方、カバー２１は、上面２１０及び下面のそれぞれの後縁から後方に延設された組立片２１１，２１１を１対ずつ備えている。このカバー２１は、各組立片２１１の組立孔２１２にボディ２０の組立突起２０１が係合することによって、ボディ２０と互いの開口を合わせるように結合する。
【００１４】
また、カバー２１は、左右方向（図１のＹ軸方向）における一方の側壁である右側壁２１３に突出して設けられ取付枠７の器具取付孔７２に係合可能な取付爪２１４を１対、左側壁に突出して設けられ取付枠７の器具取付孔７２に係合可能な取付爪（図示せず）を２対備えている。カバー２１の右側壁２１３には、１対の取付爪２１４が突設された部位の上下両側部に後端が開放された２本の切り込み溝２１５，２１５が前後方向（図１のＸ軸方向）に沿って形成され、２本の切り込み溝２１５，２１５の間の部位に、厚み方向に可撓性を有する撓み片２１６が設けられている。そして、カバー２１内において撓み片２１６の裏面側には空所が形成され、撓み片２１６をカバー２１の内側に撓ませることによって、撓み片２１６に設けられた１対の取付爪２１４，２１４をカバー２１の側面から弾性的に後退させることを可能とする。
【００１５】
ここで、取付枠７について説明する。取付枠７は、規格化された単位モジュール寸法（１個モジュール寸法）の埋込型配線器具を長手方向（図１のＺ軸方向）に３個並べて取付可能な１連のものである。この取付枠７の窓孔７０を囲む両側片７１，７１には、配線器具を取り付けるための器具取付孔７２・・・が３対ずつ形成されている。この器具取付孔７２・・・にカバー２１の取付爪２１４が係合することによって、器体２が取付枠７に固定される。器体２を取付枠７に取り付ける際には、カバー２１の左側壁に設けられた取付爪（図示せず）を取付枠７の器具取付孔７２に挿入するとともに、右側壁２１３に設けられた取付爪２１４，２１４をカバー２１の側面から後退させるようにして、取付枠７の窓孔７０に器体２の前部を挿入すれば、右側壁２１３の取付爪２１４，２１４が器具取付孔７２に挿入されて器体２が取付枠７に保持される。一方、器体２を取り外す際には、撓み片２１６をカバー２１の内側に押し込むようにすれば、撓み片２１６に設けられた取付爪２１４，２１４が器具取付孔７２から抜け、取付枠７から器体２を取り外すことができる。
【００１６】
また、取付枠７の上下の枠片７３，７３のそれぞれには、ボックス螺子７４０，７４０を挿通するための長孔７４，７４が１つずつ形成されている。それぞれの長孔７４に挿通されたボックス螺子７４０が、例えば壁面などの造営面に埋設された埋込ボックスのねじ部（図示せず）に螺合されることによって、取付枠７が造営材（図示せず）に固定され、この取付枠７に保持された器体２の後部は造営材に埋設される。さらに、各枠片７３にはプレート螺子用のねじ孔７５・・・が１対ずつ形成されている。取付枠７は前面側で、合成樹脂で矩形枠状に形成されたプレート枠（図示せず）とプレート螺子（図示せず）を用いてねじ止めされる。このプレート枠の前面側に化粧プレート７６が着脱自在に取着される。プレート枠及び化粧プレート７６には、それぞれ、取付枠７の窓孔７０よりも長寸かつ幅広の窓孔７６０が形成され、上記窓孔７６０を通して熱線センサ付自動スイッチ１の前面が露出するようになっている。
【００１７】
カバー２１には円状の窓孔２２０，２２１が２つ、これらの窓孔２２０，２２１より小さい円状の窓孔２２２が１つ形成されている。また、カバー２１の前面には、前方に突出する突台部２２３が設けられている。この突台部２２３の前面には開口２２６が形成されている。開口２２６の上下には弧状の突出部２２７，２２８が設けられている。
【００１８】
さらに、カバー２１は、操作ハンドル３を枢着するために、前面２３０の左側端部から前方に突出して一体に設けられた一対の軸部２３１，２３１を備えている。各軸部２３１の前端部はカバー２１の長手方向に沿った円柱状に形成されている。
【００１９】
操作ハンドル３は、左右方向が化粧プレート７６の窓孔７６０の左右方向（短手方向）とほぼ同じ寸法に、上下方向が窓孔７６０の上下方向（長手方向）のほぼ３分の２の寸法になるように、合成樹脂で矩形板状に形成されたものである。この操作ハンドル３は、左側部３０の背面に設けられた軸受部（図示せず）を備えている。この軸受部がカバー２１の軸部２３１，２３１に回動自在に枢支されることによって、操作ハンドル３は器体２の前面２３０の上半分を覆う形で器体２の前面２３０に回動自在に枢支される。
【００２０】
また、操作ハンドル３は、カバー２１の前面２３０に露出する後述の操作子６１０と対向する部位に設けられた押突起３１を裏面に備えている。操作ハンドル３の右側部３２が押操作されると、操作ハンドル３が軸部２３１，２３１を支点にして回動し、操作ハンドル３の押突起３１によって操作子６１０が押され、操作スイッチ６１がオンする。一方、押圧する力が操作ハンドル３からなくなると、操作ハンドル３が操作子６１０の反力などを受けて復帰位置に戻り、操作スイッチ６１がオフする。なお、操作ハンドル３は、軸部２３１，２３１で枢支された左側縁を取付枠７の前面に面接触させているので、操作ハンドル３の左側部３０を押したとしても、操作ハンドル３が傾くのを防止できる。
【００２１】
さらに、操作ハンドル３は薄肉部３３を有し、この薄肉部３３におけるカバー２１の窓孔２２０，２２１に対応する部位には、後述の動作保持時間設定部（設定操作部）６２及び明るさセンサ調整部６３をそれぞれ挿通させるために、この動作保持時間設定部６２及び明るさセンサ調整部６３に対向する部位に開口窓３４，３５が形成されている。また、操作ハンドル３において、左側部３０の上下方向（図１のＺ軸方向）における略中央部に、導光部材（図示せず）が嵌め込まれる透孔３６が形成されている。導光部材は、透光性を有する合成樹脂で形成され、透孔３６に嵌め込んだ状態で操作ハンドル３の背面側に取着される。これにより、器体２内に納装された発光ダイオードＬＤの照射光は、操作ハンドル３に保持された導光部材を通して操作ハンドル３の透孔３６から前方へ出射されるようになっている。
【００２２】
発光ダイオードＬＤは、例えば色や点灯状態によって動作モードを表示するものである。例えば色による表示の場合、照明負荷Ｌを連続点灯しているときは赤色に点灯し、自動点灯中のときは緑色に点灯し、照明負荷Ｌを強制消灯しているときは消灯する。これに対して、例えば点灯状態による表示の場合、照明負荷Ｌを連続点灯しているときは連続点灯し、自動点灯中のときは点滅し、照明負荷Ｌを強制消灯しているときは消灯する。
【００２３】
操作ハンドル３がカバー２１の上側に取り付けられるのに対し、カバー２１の下側には化粧カバー３７が取り付けられる。化粧カバー３７には、カバー２１の挿通孔２２５の左右方向（図１のＹ軸方向）における中央に対向する位置に挿通孔３７０が形成され、開口２２６に対向する位置に開口３７１が形成されている。
【００２４】
ハンドルカバー４は、操作ハンドル３の薄肉部３３を覆うように、操作ハンドル３の前面に回動自在に枢着されている。ハンドルカバー４の左右方向及び上下方向の寸法は、それぞれ、薄肉部３３の左右方向及び上下方向とほぼ同じである。また、ハンドルカバー４の側部の上下両端部からは、側方に突出するアーム４０，４０が突設され、各アーム４０の先端部には、操作ハンドル３の上下両側面に設けられた軸穴３８に枢支される回動軸４１，４１が突設されている。このように操作ハンドル３の軸穴３８にアーム４０の回動軸４１を軸支させることで、ハンドルカバー４は、開口窓３４，３５を露出させる位置と、開口窓３４，３５を覆う位置とを選択自在として操作ハンドル３の前面に回動自在に取着される。このようなハンドルカバー４を用いることによって、ハンドルカバー４を閉めたときに薄肉部３３の大部分を隠すことができるので、すっきりとしたデザインにすることができる。
【００２５】
熱線センサ５は例えば焦電素子などのセンサ素子を備え、予め設定された領域内に存在する人体からの熱線を検知するものであり、後述の回路部６の回路基板６０に実装されている。この熱線センサ５は、例えばＣｄＳやフォトダイオードなどの明るさセンサ５０と一体に構成され、この明るさセンサ５０によって周囲の明るさを識別することも可能である。
【００２６】
このような熱線センサ５は前面側をセンサカバー５１で覆われている。センサカバー５１には、熱線センサ５を露出させる検知窓５１０が形成されている。この検知窓５１０と通して、熱線センサ５は人体からの熱線を外部から検知する。センサカバー５１は、カバー２１と回路部６とに挟持されるようにして器体２に収納される。
【００２７】
センサカバー５１とカバー２１との間には１対のシャッター５２，５２が設けられている。各シャッター５２は、弧状の基部５２０と、基部５２０の一端から角度を有して延設された取手部５２１とを一体に備えている。カバー２１とセンサカバー５１の間に設けられた各シャッター５２は左右方向に可動自在であり、熱線センサ５の一部を覆う。つまり、ユーザによる取手部５２１を用いた操作によって基部５２０が可動し、センサカバー５１の検知窓５１０の開閉具合が調整される。これにより、熱線センサ５の検知エリアを調整することができるので、検知エリアの最適化を行うことができる。
【００２８】
回路部６は、例えばプリント配線板などの回路基板６０と、操作ハンドル３で押駆動される操作子６１０を有する操作スイッチ６１と、照明負荷Ｌ（図２参照）の点灯時間を設定するための動作保持時間設定部６２と、明るさセンサ５０の明るさ検知レベルを設定するための明るさセンサ調整部６３とを備え、器体２に収納される。この回路部６の裏面側には放熱板６４が設けられている。
【００２９】
操作スイッチ６１の操作子６１０は、器体２の前面２３０に露出し、操作ハンドル３で押駆動されるものである。
【００３０】
動作保持時間設定部６２は例えばロータリスイッチなどであり、器体２の前面２３０に設けられ、ユーザの操作によって動作保持時間Ｔ１を設定するものである。図３に示すように、動作保持時間は１０秒から３０分までの範囲で設定することが可能である。これにより、照明負荷Ｌの点灯時間の最適化を図ることができる。また、明るさセンサ調整部６３は例えばロータリスイッチなどであり、ユーザの操作によって明るさセンサ５０の明るさ検知レベルを「暗め」（例えば５Ｌｘ以下）から「明るめ」（例えば１００Ｌｘ以上）までの範囲で設定するものである。また、「切」に設定すると明るさセンサ５０の機能を停止させる。これにより、周囲が明るいときに宅内の照明負荷Ｌ２を点灯させることを防止することができるので、省エネルギー化を図ることができる。
【００３１】
ここで、回路部６の回路構成について図４を用いて説明する。回路部６は、熱線センサ５や明るさセンサ５０からの出力を制御部（マイクロコンピュータ）６５に入力している。制御部６５は熱線センサ５及び明るさセンサ５０の出力をＡ／Ｄ変換し、さらに熱線センサ５の出力値に基づいて予め設定された検知エリア内における人の存否を判断する。制御部６５の内部では熱線センサ５の出力に基づいて検知エリアに人が存在すると判断したときには人体検知信号を発生する。
【００３２】
制御部６５は駆動部６５０を介してトライアックのような開閉素子６５１をオンオフさせる機能を有している。開閉素子６５１は商用電源ＡＣを接続する電源端子６５２と、照明負荷Ｌを接続する負荷端子６５５との間に接続され、制御部６５により導通角が制御されて照明負荷Ｌへの供給電力を調節し、照明負荷Ｌを所望の光出力で点灯させる。また、電源端子６５２，６５３には商用電源ＡＣを受けて直流定電圧を発生する直流安定化電源６５６が接続されており、直流安定化電源６５６により内部回路へ動作電源が供給される。
【００３３】
制御部６５の基本的な動作は、明るさセンサ５０の検出した明るさが予め設定された明るさのしきい値よりも暗い状態で、熱線センサ５に入射した熱線量の変化に基づいて人を検知すると（人体検知信号を発生すると）、照明負荷Ｌを点灯させる動作であって、照明負荷Ｌが点灯する時間（この時間を動作保持時間という）は制御部６５により構成されるタイマ手段によって限時される。
【００３４】
制御部６５の動作モードとして、熱線センサ５が熱線を検知したときに照明負荷Ｌをオンに制御する第１の制御モード、熱線センサ５による熱線の検知の有無に関わらず、切り替えられた状態を照明負荷Ｌが継続するように制御する第２の制御モード、照明負荷Ｌが消灯しているとき照明負荷Ｌを動作保持時間Ｔ１が経過するまで点灯させ、照明負荷Ｌが点灯しているとき照明負荷Ｌを動作保持時間Ｔ１が経過するまで消灯させる第３の制御モードがある。
【００３５】
制御部６５は、操作スイッチ６１の操作子６１０が操作ハンドル３で予め設定された一定時間（例えば３秒）Ｔ２以上押されると、第１の制御モードを、照明負荷Ｌの点灯と消灯を切り替え、第２の制御モードに切り替える。また、制御部６５は、第１の制御モード又は第２の制御モードである場合に、操作スイッチ６１の操作子６１０が操作ハンドル３で上記一定時間Ｔ２未満押されると、第１の制御モード又は第２の制御モードを第３の制御モードに切り替え、一定時間Ｔ２が経過すると第１の制御モードに切り替える（図５参照）。
【００３６】
次に、実施形態１に係る熱線センサ付自動スイッチ１の動作について図６，７を用いて説明する。最初に図７（ａ）について説明する。まず、時刻ｔ１で熱線センサ５が熱線を検知すると、照明負荷Ｌを動作保持時間Ｔ１が経過するまで点灯させる。動作保持時間Ｔ１が経過して照明負荷Ｌが消灯した後、時刻ｔ２でハンドルカバー４を閉じた状態でハンドルカバー４（操作ハンドル３）の右側部が一定時間Ｔ２より短い時間（ｔ３−ｔ２）だけ押操作されると、操作ハンドル３が回動し、操作ハンドル３の裏面で操作スイッチ６１の操作子６１０が押圧され、操作スイッチ６１からの操作信号が制御部６５に入力される。このとき、照明負荷Ｌがオフであるので、制御部６５は駆動部６５０を介して開閉素子６５１をオンさせて照明負荷Ｌに電力を供給し、照明負荷Ｌを動作保持時間Ｔ１が経過するまで点灯させる（図６の「自動ＯＮ」）。動作保持時間Ｔ１が経過して照明負荷Ｌが消灯した後、再度、時刻ｔ４で操作ハンドル３が一定時間Ｔ２より短い時間（ｔ５−ｔ４）だけ押操作されると照明負荷Ｌを点灯させる。その後、時刻ｔ６で操作ハンドル３が一定時間Ｔ２より長い時間（ｔ７−ｔ６）で押操作されると照明負荷Ｌを消灯させる（図６の「強制ＯＦＦ」）。一定時間Ｔ２より長い時間（ｔ７−ｔ６）で押操作されて照明負荷Ｌを消灯させている間、時刻ｔ８で熱線センサ５が熱線を検知したとしても照明負荷Ｌの消灯状態を継続させる。その後、時刻ｔ９で操作ハンドル３が一定時間Ｔ２より短い時間（ｔ１０−ｔ９）で押操作されると照明負荷Ｌを動作保持時間Ｔ１が経過するまで点灯させる（図６の「自動ＯＮ」）。その後、照明負荷Ｌが消灯し、時刻ｔ１１で熱線センサ５が熱線を検知すると、照明負荷Ｌを動作保持時間Ｔ１が経過するまで点灯させる。
【００３７】
続いて、図７（ｂ）について説明する。照明負荷Ｌを点灯させているときに、時刻ｔ２１で操作ハンドル３が一定時間Ｔ２より短い時間（ｔ２２−ｔ２１）で押操作されると照明負荷Ｌを消灯させる（図６の「自動ＯＦＦ」）。その後、時刻ｔ２３で操作ハンドル３が一定時間Ｔ２より短い時間（ｔ２４−ｔ２３）で押操作されると、照明負荷Ｌを動作保持時間Ｔ１が経過するまで点灯させる（図６の「自動ＯＮ」）。照明負荷Ｌが消灯した後、時刻ｔ２５で操作ハンドル３が一定時間Ｔ２より長い時間（ｔ２６−ｔ２５）で押操作されると、照明負荷Ｌを継続して点灯させる（図６の「強制ＯＮ」）。その後、時刻ｔ２７で操作ハンドル３が一定時間Ｔ２より短い時間（ｔ２８−ｙ２７）で押操作されると、照明負荷Ｌを消灯させる（図６の「自動ＯＦＦ」）。その後、時刻ｔ２９で熱線センサ５が熱線を検知すると、照明負荷Ｌを動作保持時間Ｔ１が経過するまで点灯させる。
【００３８】
最後に、図７（ｃ）について説明する。照明負荷Ｌを点灯させているときに、時刻３１で操作ハンドル３が一定時間Ｔ１より長い時間（ｔ３２−ｔ３１）で押操作されると、照明負荷Ｌを消灯させる（図６の「強制ＯＦＦ」）。照明負荷Ｌが消灯している間、時刻ｔ３３で熱線センサ５が熱線を検知してとしても、照明負荷Ｌの消灯を継続させる。その後、時刻ｔ３４で操作ハンドル３が一定時間Ｔ２より長い時間（ｔ３５−ｔ３４）で押操作されると、照明負荷Ｌを継続して点灯させる（図６の「強制ＯＮ」）。
【００３９】
次に、実施形態１の熱線センサ付自動スイッチ１と図９に示す第１の比較例に係る熱線センサ付自動スイッチ１ａとを比較する。熱線センサ付自動スイッチ１ａは、照明負荷Ｌの連続オンオフを切り替える切替スイッチ８０を備えるものであり、熱線センサ付自動スイッチ１のように操作ハンドル３を一定時間Ｔ２より長い時間で押操作されて切り替えるものではない。切替スイッチ８０は、図１０に示すように、「切」、「自動」、「連続入」の順で切り替え可能に設けられている。
【００４０】
次に、実施形態１の熱線センサ付自動スイッチ１と外観が同じであるが照明負荷Ｌの連続オンオフを切り替える手段が異なる第２の比較例に係る熱線センサ付自動スイッチについて説明する。第２の比較例の熱線センサ付自動スイッチは、図１１に示すように、動作保持時間設定部６２ａに、照明負荷Ｌを連続オフにする「切」と照明負荷Ｌを連続オンにする「連続入」とを設けている。この第２の比較例の熱線センサ付自動スイッチでは、照明負荷Ｌを連続オンオフするために、ハンドルカバー４を開けて動作保持時間設定部６２ａを操作しなければならず、熱線センサ付自動スイッチ１のように操作ハンドル３を一定時間Ｔ２より長い時間で押操作されて切り替えるものではない。
【００４１】
以上、実施形態１によれば、熱線センサ５による検知の有無に関わらず、照明負荷Ｌのオンオフを切り替え、切り替えた状態を長時間継続させることを、操作ハンドル３への押操作によって容易かつ誤動作を低減して切り替えることができる。
【００４２】
また、熱線センサ５が有効時間中であっても、操作ハンドル３への短時間の押操作によって、照明負荷Ｌが消灯しているときに一時的に点灯させることができるとともに、照明負荷Ｌが点灯しているときに一時的に消灯させることができることによって、照明負荷Ｌへの無駄な電力供給を低減することができる。
【００４３】
（実施形態２）
まず、本発明の実施形態２に係る熱線センサ付自動スイッチ１ｂの構成について図８を用いて説明する。この熱線センサ付自動スイッチ１ｂは、実施形態１の熱線センサ付自動スイッチ１（図１参照）と同様に、操作ハンドル３と、ハンドルカバー４と、熱線センサ５と、回路部６とを備えているが、実施形態１の熱線センサ付自動スイッチ１にはない以下に記載の特徴部分を有する。
【００４４】
実施形態２の熱線センサ付自動スイッチ１ｂは、実施形態１の器体２（図１参照）に代えて図８に示すような器体２ａを備えている。この器体２ａは２個モジュール寸法に形成されたものであり、１個モジュール寸法に形成された他の配線器具（例えばスイッチなど）と並設可能である。なお、取付枠７に熱線センサ付自動スイッチ１ｂのみを取り付ける場合には、単位モジュール寸法の配線器具１個分の隙間ができるため、この隙間を塞ぐブランクチップ７５を取付枠７に取り付けてもよい。ブランクチップ７５は前面が略矩形状であって、左右方向および上下方向の寸法が単位モジュール寸法の配線器具とほぼ同じになるように形成され、取付枠７に取り付けるための取付手段（図示せず）を備えている。なお、器体２ａは上記以外の点において実施形態１の器体２と同様である。
【００４５】
実施形態２に係る熱線センサ付自動スイッチ１ｂの動作については、実施形態１の熱線センサ付自動スイッチ１と同様である。
【００４６】
以上、実施形態２によれば、熱線センサ付自動スイッチ１ｂが２個モジュール寸法であっても、実施形態１と同様の効果を得ることができる。
【図面の簡単な説明】
【００４７】
【図１】本発明の実施形態１に係る熱線センサ付自動スイッチの分解斜視図である。
【図２】同上に係る熱線センサ付自動スイッチの外観斜視図である。
【図３】同上に係る熱線センサ付自動スイッチの操作部を示す図である。
【図４】同上に係る熱線センサ付自動スイッチの回路ブロック図である。
【図５】同上に係る熱線センサ付自動スイッチであって、（ａ）が照明負荷を点灯させる場合の動作を示すタイムチャート、（ｂ）が照明負荷を点灯させる場合の動作を示すタイムチャートである。
【図６】同上に係る熱線センサ付自動スイッチの動作を示す図である。
【図７】同上に係る熱線センサ付自動スイッチのタイムチャートである。
【図８】本発明の実施形態２に係る熱線センサ付自動スイッチの正面図である。
【図９】第１の比較例に係る熱線センサ付自動スイッチの外観斜視図である。
【図１０】同上に係る熱線センサ付自動スイッチの操作部を示す図である。
【図１１】第２の比較例に係る熱線センサ付自動スイッチの操作部を示す図である。
【符号の説明】
【００４８】
１，１ａ，１ｂ  熱線センサ付自動スイッチ
２  器体
２３０  前面
２３１  軸部
３  操作ハンドル
５  熱線センサ
６  回路部
６１  操作スイッチ
６１０  操作子
【図１】
2008109511.tif 000003
【図２】
2008109511.tif 000004
【図３】
2008109511.tif 000005
【図４】
2008109511.tif 000006
【図５】
2008109511.tif 000007
【図６】
2008109511.tif 000008
【図７】
2008109511.tif 000009
【図８】
2008109511.tif 000010
【図９】
2008109511.tif 000011
【図１０】
2008109511.tif 000012
【図１１】
2008109511.tif 000013